(57)【要約】【課題】ケーブル接続点を容易に補修して気密を回復させる。【解決手段】筐体１でケーブル接続点１００全体を覆い、筐体１とケーブル２００の間に弾性ゲル２を挟み込む。これにより、環境の変化や外力を受けた場合でも、弾性ゲル２の復元力により筐体１内部の気密を確保することができる。【選択図】図１
2014023329.tif 000002
【特許請求の範囲】
【請求項１】
ケーブル接続点の補修方法であって、
前記ケーブル接続点から伸びるケーブルに弾性ゲルを配置するステップと、
前記ケーブル接続点全体を覆う筐体を前記ケーブル接続点に被せるステップと、
前記筐体と前記ケーブルとの間に前記弾性ゲルを挟み、前記弾性ゲルと前記ケーブル及び前記筐体とを密着させるステップと、
を有することを特徴とする補修方法。
【請求項２】
前記弾性ゲルを挟むステップは、前記弾性ゲルを前記ケーブルの円周方向から挟むことを特徴とする請求項１記載の補修方法。
【請求項３】
前記弾性ゲルを挟むステップは、前記筐体の外蓋により、前記弾性ゲルを前記ケーブルの長手方向から前記ケーブル接続点に向けて押し込んで挟むことを特徴とする請求項１記載の補修方法。
【請求項４】
ケーブル接続点の補修方法であって、
前記ケーブル接続点からケーブルが伸びる端面に弾性ゲルを配置するステップと、
前記端面を覆う筐体で前記弾性ゲルを前記ケーブル接続点に向けて押して挟み、前記弾性ゲルと前記ケーブル及び前記端面とを密着させるステップと、
を有することを特徴とする補修方法。
【請求項５】
ケーブル接続点の補修器具であって、
前記ケーブル接続点全体を覆う筐体と、
前記筐体と前記ケーブル接続点から伸びるケーブルとの間に挟まれる弾性ゲルと、
を有することを特徴とする補修器具。
【請求項６】
ケーブル接続点の補修器具であって、
前記ケーブル接続点からケーブルが伸びる端面のそれぞれを覆う２つの筺体と、
前記筺体と前記端面及び前記ケーブルとの間に挟まれる弾性ゲルと、
を有することを特徴とする補修器具。
【発明の詳細な説明】
【技術分野】
【０００１】
本発明は、ケーブル接続点を補修する技術に関する。
【背景技術】
【０００２】
地下および架空区間に敷設されている通信ケーブルは、分岐や延長を行うためにケーブル接続点が設けられている。ケーブル接続点ではケーブル内部の通信用の心線同士を接続した後、クロージャと呼ばれる円筒状の筐体を被せることにより、外部環境より接続点を遮断している。地下のケーブル接続点は主にマンホールに設けられている。ケーブル接続点のクロージャはシーリングテープやガスケットにより高い気密性を有しており、マンホールが水没してもクロージャ内部には水が侵入しない設計となっている。また通信ケーブルの中には内部に圧力をかけたガス（乾燥空気）を供給しているものがあり、ケーブル外被が傷つけられたり、接続点のクロージャの気密が低下した場合には、ガスが外部に漏れることで水の侵入を防いでいる。
【先行技術文献】
【特許文献】
【０００３】
【特許文献１】特開２００９−０２５３４１号公報
【発明の概要】
【発明が解決しようとする課題】
【０００４】
長期的な使用や外力の作用により、クロージャの気密が低下し、クロージャ内部に水が浸入したり、クロージャからガス漏れが発生することがある。このような場合、クロージャを補修する必要があるが、クロージャの解体・再組立や、クロージャの新品への更改には長時間の作業を要する。
【０００５】
また、クロージャを補修する方法として、型枠で覆って接着剤や発砲ウレタンレジン、ゼリー状レジン等を充填する方法が考えられるが、この方法では十分な気密が確保できないという問題がある。その理由は、第１に、地下の管路に敷設されている通信ケーブルには、管路の上の地上部に道路が存在する場合、車両の走行による振動でケーブルが移動するクリーピングと呼ばれる現象が発生し、ケーブル接続点に負荷がかかるからである。第２に、ケーブル外被は低密度ポリエチレンもしくは直鎖状低密度ポリエチレンであり、クロージャはポリプロピレンを用いたＦＲＰ樹脂であるため、これらは接着剤等での接着が非常に難しい素材だからである。
【０００６】
本発明は、上記に鑑みてなされたものであり、ケーブル接続点を容易に補修して気密を回復させることを目的とする。
【課題を解決するための手段】
【０００７】
第１の本発明に係る補修方法は、ケーブル接続点の補修方法であって、前記ケーブル接続点から伸びるケーブルに弾性ゲルを配置するステップと、前記ケーブル接続点全体を覆う筐体を前記ケーブル接続点に被せるステップと、前記筐体と前記ケーブルとの間に前記弾性ゲルを挟み、前記弾性ゲルと前記ケーブル及び前記筐体とを密着させるステップと、を有することを特徴とする。
【０００８】
第２の本発明に係る補修方法は、ケーブル接続点の補修方法であって、前記ケーブル接続点からケーブルが伸びる端面に弾性ゲルを配置するステップと、前記端面を覆う筐体で前記弾性ゲルを前記ケーブル接続点に向けて押して挟み、前記弾性ゲルと前記ケーブル及び前記端面とを密着させるステップと、を有することを特徴とする。
【０００９】
第３の本発明に係る補修器具は、ケーブル接続点の補修器具であって、前記ケーブル接続点全体を覆う筐体と、前記筐体と前記ケーブル接続点から伸びるケーブルとの間に挟まれる弾性ゲルと、を有することを特徴とする。
【００１０】
第４の本発明に係る補修器具は、ケーブル接続点の補修器具であって、前記ケーブル接続点からケーブルが伸びる端面のそれぞれを覆う２つの筺体と、前記筺体と前記端面及び前記ケーブルとの間に挟まれる弾性ゲルと、を有することを特徴とする。
【発明の効果】
【００１１】
本発明によれば、ケーブル接続点を容易に補修して気密を回復させることができる。
【図面の簡単な説明】
【００１２】
【図１】第１の実施の形態におけるケーブル接続点の補修方法の概略を示す図である。
【図２】第１の実施の形態におけるケーブル接続点の補修方法に用いる補修器具の構成を示す断面図である。
【図３】第１の実施の形態におけるケーブル接続点の補修方法に用いる補修器具の筐体の構成を示す分解斜視図である。
【図４】第２の実施の形態におけるケーブル接続点の補修方法に用いる補修器具の構成を示す断面図である。
【図５】第３の実施の形態におけるケーブル接続点の補修方法に用いる補修器具の構成を示す断面図である。
【図６】第３の実施の形態におけるケーブル接続点の補修方法に用いる補修器具の筐体の構成を示す分解斜視図である。
【発明を実施するための形態】
【００１３】
以下、本発明の実施の形態について図面を用いて説明する。
【００１４】
［第１の実施の形態］
図１は、第１の実施の形態におけるケーブル接続点の補修方法の概略を示す図である。
【００１５】
第１の実施の形態における補修方法は、気密が低下した、もしくは予防的に気密を確保したいケーブル接続点（クロージャ）１００に、ケーブル接続点１００全体を覆う補修器具を被せる方法である。補修器具の筐体１は、ケーブル接続点１００より大きな円筒形状であり、両端にケーブル２００を通すケーブル通し口を備える。ケーブル通し口の径は、ケーブル２００の径よりも大きく、ケーブル２００と筐体１との間に弾性ゲル２を挟むことで筐体１内部の気密を確保する。筐体１はバンド３で固定される。以下、補修器具の設置方法について説明する。
【００１６】
図２に、第１の実施の形態における補修方法に用いる補修器具の断面図を示し、図３に、補修器具の筐体の分解斜視図を示す。
【００１７】
図３の分解斜視図に示すように、補修器具の筐体１は円筒形の軸方向に真ん中で２つに分割でき、半割管状の筐体１Ａ，１Ｂで構成される。
【００１８】
まず、図２（ａ）に示すように、ケーブル接続点１００から伸びる両側のケーブル２００それぞれに、弾性ゲル２をケーブル２００の円周に沿ってドーナツ状に配置し、弾性ゲル２が筐体１Ａ，１Ｂのケーブル通し口に接するように半割管状の筐体１Ａ，１Ｂを２方向から挟む。このとき、弾性ゲル２の円周方向の厚みは、ケーブル通し口とケーブル２００との間にできる隙間よりも大きくする。
【００１９】
そして、図２（ｂ）に示すように、筐体１Ａ，１Ｂを貼り合わせて筐体１を組み立て、弾性ゲル２を円周方向から圧力を加えて変形させた状態で、筐体１Ａ，１Ｂをバンド３で固定する。筐体１Ａ，１Ｂを貼り合わせる部分は弾性ゴムなどを備えることでぴったり貼り合わされ、筐体１とケーブル２００の間は、弾性ゲル２の復元力により、弾性ゲル２がケーブル２００と筐体１に密着することで筐体１内の気密が確保される。
【００２０】
なお、筺体１Ａ，１Ｂを固定する際に、バンド３以外でも筐体１Ａ，１Ｂに留め具を備えて固定してもよい。また、筺体１の形状は円筒形に限るものではない。
【００２１】
弾性ゲル２には、例えば一例として、ヤング率３００ｋＰａ程度で、筐体１とケーブル２００の間のスペースの約１．５倍の厚さのゲルを用いる弾性ゲル２を配置して筐体１Ａ，１Ｂを嵌合し、弾性ゲル２を圧縮して筐体１とケーブル２００の間のスペースに収めて固定する。このとき、弾性ゲル２と筐体１、ケーブル２００との界面は約１００ｋＰａの圧力がかかっている。このため、外部から侵入しようとする水の圧力が約１００ｋＰａ（水深１０ｍ）までであれば十分に気密を確保できる。また、ケーブル２００内に乾燥空気を供給しているガスケーブルの場合は、ガスの供給圧が約１００ｋＰａまでであれば内部からのガス圧に耐えて気密を確保できる。また、弾性ゲル２の接触面積／体積の比を大きくすることで、弾性ゲル２の単位面積あたりの圧縮力がそれほど高くなくても内外からの高い圧力に耐えることができる。
【００２２】
なお、ここでの数値は一例であり、弾性ゲル２のヤング率および弾性ゲル２の圧縮の程度を、必要とされる気密性に応じて選択することで、必要とする用途に最適な気密を得ることができる。例えば、弾性ゲル２の厚さを３分の２に圧縮する設計で、水深１ｍの水圧に耐えるために必要な弾性ゲル２のヤング率は３０ｋＰａ程度であり、水深１００ｍの水圧に耐えるためには３０００ｋＰａが必要となる。弾性ゲル２の圧縮率も用途に応じて変更可能なため、適用可能な弾性ゲル２のヤング率はおおむね１０ｋＰａ〜１００００ｋＰａの範囲である。地下に配置されたケーブル接続点１００を想定した場合、水深は数ｍが想定されるため、弾性ゲル２のヤング率は１００ｋＰａ〜１０００ｋＰａ程度が適切である。
【００２３】
弾性ゲル２として、シロキサン結合を主鎖とする高分子化合物を用いると良い。シロキサン結合を主鎖とする高分子化合物は優れた耐熱性（２００℃超）を示し、化学的にも安定で酸化・分解されにくいため、長期安定性に優れている。また、冬など、温度が低下した状況では、ケーブル外被、ケーブル接続点のガスケットやシーリング材が収縮し、気密が低下しやすいことが知られているが、本実施の形態で用いるゲルやゲルが接触するケーブル外被、ケーブル接続点のクロージャの素材は、いずれも線形膨張率が１０-4℃のオーダーであるため、温度低下の収縮で発生するスペースはゲルの弾性変形による復元力で十分にカバーされる。また、ゲルが圧縮により弾性変形している割合と比較すると各部材の温度低下による収縮率は非常に小さいため、温度変化によるゲル接触面の圧力もほとんど低下しない。
【００２４】
以上説明したように、本実施の形態によれば、筐体１でケーブル接続点１００全体を覆い、筐体１とケーブル２００の間に弾性ゲル２を挟み込むことにより、環境の変化や外力を受けた場合でも、弾性ゲル２の復元力により筐体１内部の気密を確保することができる。ケーブル２００がクリーピング現象により移動した場合でも、弾性ゲル２が、弾性ゲル２の復元力により、弾性ゲル２の接触面における圧力を維持したまま柔軟に変形することで筐体１内の気密は確保されたままとなる。また、筐体１や弾性ゲル２が損傷・劣化した場合も、バンド３を外して筐体１Ａ，１Ｂをばらすだけで容易に交換できる。
【００２５】
［第２の実施の形態］
図４は、第２の実施の形態におけるケーブル接続点の補修方法に用いる補修器具の断面図である。
【００２６】
第２の実施の形態における補修方法は、第１の実施の形態と同様に弾性ゲル２を用いて筐体１とケーブル２００の隙間を密閉して筐体１内部の気密を確保するが、弾性ゲル２をケーブル２００の長手方向からの力により圧縮・変形させる点で異なる。
【００２７】
図４の断面図に示すように、補修器具の筐体１は、半割管状の筐体１Ａ，１Ｂと円筒形の両側から弾性ゲル２を押し込む２つの外蓋１Ｃで構成される。筐体１Ａ，１Ｂのケーブル通し口の外周と外蓋１Ｃの内周はネジ切りされている。また、外蓋１Ｃは、内側に弾性ゲル２を押し込む突起を備える。図示していないが、外蓋１Ｃは半割の２つの部分に別れ、ケーブル２００を挟んだ状態でボルト・ナット等で嵌合する。
【００２８】
まず、図４（ａ）に示すように、筐体１Ａ，１Ｂを貼り合わせて筐体１を組み立て、筐体１両側それぞれのケーブル通し口とケーブル２００との間に弾性ゲル２をケーブル２００の円周方向にドーナツ状に配置する。第２の実施の形態では、筐体１Ａ，１Ｂで弾性ゲル２を圧縮・変形させないので、筐体１Ａ，１Ｂを貼り合わせた後に弾性ゲル２を配置してもよい。
【００２９】
そして、図４（ｂ）に示すように、外蓋１Ｃを筐体１にはめて外蓋１Ｃ内側の突起で弾性ゲル２を圧縮・変形させる。弾性ゲル２の復元力により、弾性ゲル２がケーブル２００と筐体１に密着して筐体１内の気密が確保される。
【００３０】
なお、図４では、筐体１Ａ，１Ｂのケーブル通し口の外周と外蓋１Ｃの内周をネジ切りしたが、外蓋１Ｃにより弾性ゲル２が押し込まれる構造であれば、筐体１Ａ，１Ｂのケーブル通し口の内周、外蓋１Ｃの外周をネジ切りするものでも、筐体１Ａ，１Ｂ、外蓋１Ｃに留め具を備えて弾性ゲル２を筐体１Ａ，１Ｂ内に押し込み、固定するものでもよい。
【００３１】
以上説明したように、本実施の形態によれば、筐体１Ａ，１Ｂでケーブル接続点１００全体を覆い、筐体１Ａ，１Ｂのケーブル通し口に弾性ゲル２を配置し、外蓋１Ｃで弾性ゲル２をケーブル２００の長手方向から押し込むことにより、弾性ゲル２の復元力により筐体１内部の気密を確保することができる。
【００３２】
［第３の実施の形態］
図５は、第３の実施の形態におけるケーブル接続点の補修方法に用いる補修器具の断面図である。図６に、補修器具の筐体の分解斜視図を示す。
【００３３】
第３の実施の形態における補修方法は、ケーブル接続点１００の全体を覆って密閉するのではなく、ケーブル接続点１００の気密低下しやすい部分を弾性ゲル２で覆ってケーブル接続点１００内部の気密を確保する。具体的には、ケーブル接続点１００は、両端面（円筒形の底面）に配置されたケーブル出入口、側面と両端面の接続部分、つまりケーブル接続点１００の両端面から気密低下しやすいので、ケーブル接続点１００の両端面を覆うように弾性ゲル２を配置する。
【００３４】
図５，６に示すように、補修器具の筐体１は、ケーブル接続点１００の全体を覆う構造ではなく、ケーブル接続点１００の両端面を覆う筐体１Ｄ，１Ｅで構成される。
【００３５】
まず、図５（ａ）に示すように、ケーブル接続点１００の両端面に、ケーブル接続点１００のケーブル出入口、ケーブル接続点１００の端面と側面の接続部分を覆うように弾性ゲル２を配置し、筐体１Ｄ，１Ｅそれぞれで弾性ゲル２をケーブル２００の円周方向から挟んで筺体１Ｄ，１Ｅを図示していないボルト・ナット等で嵌合して貼りあわせ、弾性ゲル２をケーブル２００に密着させる。
【００３６】
そして、図５（ｂ）に示すように、ケーブル接続点１００の両端面に配置された筐体１Ｄ，１Ｅをねじ棒４Ａとナット４Ｂで連結して締め付け、弾性ゲル２をケーブル２００の長手方向からケーブル接続点１００の両端面に押すことで、弾性ゲル２をケーブル接続点１００に密着させてケーブル接続点１００内部の気密を確保する。
【００３７】
第３の実施の形態では、ケーブル接続点１００全体を覆わないので、ケーブル接続点１００が側面にガス栓を備えている場合など、ガス栓へのアクセスを確保したまま補修することができる。また、ケーブル接続点１００が巨大であっても補修が容易となる。
【００３８】
以上説明したように、本実施の形態によれば、ケーブル接続点１００の両端面に弾性ゲル２を配置し、ケーブル接続点１００の両端面を覆う筐体１Ｄ，１Ｅそれぞれで弾性ゲル２をケーブル２００の長手方向からケーブル接続点１００の両端面に押すことにより、弾性ゲル２がケーブル接続点１００に密着し、ケーブル接続点１００内部の気密を確保することができる。
【符号の説明】
【００３９】
１，１Ａ，１Ｂ，１Ｄ，１Ｅ…筐体
１Ｃ…外蓋
２…弾性ゲル
３…バンド
４Ａ…棒
４Ｂ…ナット
１００…ケーブル接続点
２００…ケーブル
【図１】
2014023329.tif 000003
【図２】
2014023329.tif 000004
【図３】
2014023329.tif 000005
【図４】
2014023329.tif 000006
【図５】
2014023329.tif 000007
【図６】
2014023329.tif 000008